(57)【要約】  本発明は、複数のタッチスクリーンを用いて画面を変更する方法及び装置を提供する。その方法は、第１の画面を第１のタッチスクリーンに表示するステップと、第２の画面を第２のタッチスクリーンに表示するステップと、第１のタッチスクリーンで複数のタッチを検出するステップと、第１のタッチスクリーンから第２のタッチスクリーンへの複数のタッチの連続動作を検出するステップと、複数のタッチの連続動作に応答して第２のタッチスクリーンの第２の画面を変更するステップとを有する。
2014509422.tif 000002
【特許請求の範囲】
【請求項１】
複数のタッチスクリーンを含む装置の画面変更方法であって、
第１の画面を第１のタッチスクリーンに表示するステップと、
第２の画面を第２のタッチスクリーンに表示するステップと、
前記第１のタッチスクリーンで複数のタッチを検出するステップと、
前記第１のタッチスクリーンから前記第２のタッチスクリーンへの複数のタッチの連続動作を検出するステップと、
前記複数のタッチの連続動作に応答して前記第２のタッチスクリーンの第２の画面を変更するステップと、
を有することを特徴とする方法。
【請求項２】
前記連続動作は、ドラッグアンドドロップ及びフリックジェスチャのうちいずれか一つを含むことを特徴とする請求項１に記載の方法。
【請求項３】
前記複数のタッチの連続動作は、前記第１のタッチスクリーンで始まり、前記第１のタッチスクリーンと前記第２のタッチスクリーンとの間に形成される間隔を通過して前記第２のタッチスクリーンに到着することを特徴とする請求項１に記載の方法。
【請求項４】
前記第１のタッチスクリーン及び前記第２のタッチスクリーンのうち少なくとも一つは、前記第２のタッチスクリーンに前記複数のタッチの到着に応答してフィードバックを提供するステップをさらに有することを特徴とする請求項３に記載の方法。
【請求項５】
前記フィードバックは、視覚的フィードバック、聴覚的フィードバック、及び触覚的フィードバックのうち少なくとも一つを含むことを特徴とする請求項４に記載の方法。
【請求項６】
前記連続動作は、前記複数のタッチが第２のタッチスクリーンで検出される時間、領域、又は方向を利用することを特徴とする請求項３に記載の方法。
【請求項７】
前記第２の画面は、前記第１の画面に対応する第３の画面に変更されることを特徴とする請求項１に記載の方法。
【請求項８】
前記第２のタッチスクリーンで複数のタッチを検出するステップと、
前記第２のタッチスクリーンから前記第１のタッチスクリーンへの前記複数のタッチの連続動作を検出するステップと、
前記複数のタッチの連続動作に応答して前記第２のタッチスクリーンの画面を前記第２の画面に変更するステップと、
をさらに有することを特徴とする請求項１に記載の方法。
【請求項９】
第１の画面を表示する第１のタッチスクリーンと、
第２の画面を表示する第２のタッチスクリーンと、
前記第１のタッチスクリーンから前記第２のタッチスクリーンへの前記第１のタッチスクリーンで検出された複数のタッチの連続動作に応答して、前記第２のタッチスクリーンの前記第２の画面を変更するように制御する制御部と、
を含むことを特徴とする装置。
【請求項１０】
前記連続動作は、ドラッグアンドドロップジェスチャ及びフリックジェスチャのうち少なくとも一つを含むことを特徴とする請求項９に記載の装置。
【請求項１１】
前記第１のタッチスクリーンを含む第１のハウジングと前記第２のタッチスクリーンを含む第２のハウジングを連結するヒンジ部をさらに含むことを特徴とする請求項９に記載の装置。
【請求項１２】
前記制御部は、
前記複数のタッチが検出される時間、領域、又は方向を用いて前記第２のタッチスクリーンで前記複数のタッチの到着を検出することを特徴とする請求項９に記載の装置。
【発明の詳細な説明】
【技術分野】
【０００１】
本発明は、一般的に複数のタッチスクリーンを有する装置及びその装置の画面変更方法に関するものである。
【背景技術】
【０００２】
デスクトップコンピュータは、少なくとも一つのディスプレイ装置、例えばＤ-ｓｕｂコネクタ又はＤＶＩ(Digital  Visual  Interface)コネクタを用いてデスクトップコンピュータに接続できるモニターを有する。ユーザーは、作業環境に基づいてデスクトップコンピュータに接続されたディスプレイ装置の画面を分割する。例えば、ユーザーは、画面を横方向又は縦方向に分割し、分割された画面に複数のウィンドウをディスプレイする。
【０００３】
しかしながら、モバイル装置、例えば携帯電話、スマートフォン、タブレット型(tabletop)ＰＣなどは、単一ディスプレイ装置を有する。このモバイル装置は、主にタッチスクリーンを使用し、デスクトップコンピュータに比べて、画面のサイズ及び入力装置の使用に制限がある。したがって、モバイル装置は、画面を分割し、この分割された画面にそれぞれのアプリケーションを使用することが難しいという問題あった。
【発明の概要】
【発明が解決しようとする課題】
【０００４】
本発明は、上記した従来技術による問題点を解決し、後述する少なくとも一つの長所を提供する。
【０００５】
したがって、本発明の目的は、複数のタッチスクリーンを含み、連続的な複数タッチの動きを用いて画面を変更する装置及び方法を提供することにある。
【０００６】
本発明の他の目的は、連続的な複数のタッチの動きに応答して視覚的フィードバック、聴覚的フィードバック、及び触覚的フィードバックのうち少なくとも一つをユーザーに提供する複数のタッチスクリーンを含む装置及びその方法を提供することにある。
【０００７】
また、本発明の目的は、少なくとも一つのタッチの動きを用いて画面を変更する複数のタッチスクリーンを含む装置及びその方法を提供することにある。
【０００８】
本発明の他の目的は、連続的なタッチの動きに応答して視覚的フィードバック、聴覚的フィードバック、及び触覚的フィードバックのうち少なくとも一つをユーザーに提供する複数のタッチスクリーンを含む装置及びその方法を提供することにある。
【０００９】
さらに、本発明の目的は、画面変更に対応してタッチジェスチャを変更する複数のタッチスクリーンを含む装置及びその方法を提供することにある。
【課題を解決するための手段】
【００１０】
上記のような目的を達成するために、本発明の一態様によれば、複数のタッチスクリーンを含む装置の画面変更方法が提供される。その方法は、第１の画面を第１のタッチスクリーンに表示するステップと、第２の画面を第２のタッチスクリーンに表示するステップと、第１のタッチスクリーンで複数のタッチを検出するステップと、第１のタッチスクリーンから第２のタッチスクリーンへの複数のタッチの連続動作を検出するステップと、複数のタッチの連続動作に応答して第２のタッチスクリーンの第２の画面を変更するステップとを有する。
【００１１】
本発明の他の態様によれば、複数のタッチスクリーンを含む装置の画面変更方法が提供される。その方法は、第１の画面を第１のタッチスクリーンに表示するステップと、第２の画面を第２のタッチスクリーンに表示するステップと、第１のタッチスクリーンで複数のタッチを検出するステップと、第１のタッチスクリーンから第２のタッチスクリーンへの複数のタッチのうち少なくとも一つの連続動作を検出するステップと、複数のタッチの少なくとも一つの動作に応答して第２のタッチスクリーンの第２の画面を変更するステップとを有する。
【００１２】
また、本発明の他の態様によれば、第１の画面を表示する第１のタッチスクリーンと、第２の画面を表示する第２のタッチスクリーンと、第１のタッチスクリーンから第２のタッチスクリーンへの第１のタッチスクリーンで検出された複数のタッチの連続動作に応答して、第２のタッチスクリーンの第２の画面を変更するように制御する制御部とを含む装置が提供される。
【００１３】
さらに、本発明の他の態様によれば、第１の画面を表示する第１のタッチスクリーンと、第２の画面を表示する第２のタッチスクリーンと、第１のタッチスクリーンから第２のタッチスクリーンへの第１のタッチスクリーンで検出された複数のタッチのうち少なくとも一つの連続動作に応答して、第２のタッチスクリーンの第２の画面を変更するように制御する制御部とを含む装置が提供される。
【００１４】
本発明の上記及び他の態様、特徴、及び利点は、添付の図面と共に述べる以下の詳細な説明から、一層明らかになるはずである。
【図面の簡単な説明】
【００１５】
【図１】本発明の一実施形態による複数のタッチスクリーンを含む装置を示す図である。
【図２Ａ】本発明の一実施形態による複数のタッチスクリーンを含む装置を示す斜視図である。
【図２Ｂ】本発明の一実施形態による複数のタッチスクリーンを含む装置を示す斜視図である。
【図２Ｃ】本発明の一実施形態による複数のタッチスクリーンを含む装置を示す斜視図である。
【図３】本発明の一実施形態による複数のタッチスクリーンを含む装置を示すブロック構成図である。
【図４】本発明の他の実施形態による複数のタッチスクリーンを含む装置を示すブロック構成図である。
【図５】本発明の一実施形態による複数のタッチスクリーンを含む装置の画面変更方法を示すフローチャートである。
【図６】本発明の他の実施形態による複数のタッチスクリーンを含む装置の画面変更方法を示すフローチャートである。
【図７】本発明の一実施形態による複数のタッチ設定を示すフローチャートである。
【図８Ａ】本発明の一実施形態による複数のタッチスクリーンを含む装置の画面変更方法を示すスクリーンイメージである。
【図８Ｂ】本発明の一実施形態による複数のタッチスクリーンを含む装置の画面変更方法を示すスクリーンイメージである。
【図９Ａ】本発明の他の実施形態による複数のタッチスクリーンを含む装置の画面変更方法を示すスクリーンイメージである。
【図９Ｂ】本発明の他の実施形態による複数のタッチスクリーンを含む装置の画面変更方法を示すスクリーンイメージである。
【図１０Ａ】本発明の一実施形態による連続的なタッチの到着の一例を示すスクリーンイメージである。
【図１０Ｂ】本発明の一実施形態による連続的なタッチの到着の一例を示すスクリーンイメージである。
【図１０Ｃ】本発明の一実施形態による連続的なタッチの到着の一例を示すスクリーンイメージである。
【図１１Ａ】本発明の一実施形態によるタッチ設定の一例を示すスクリーンイメージである。
【図１１Ｂ】本発明の一実施形態によるタッチ設定の一例を示すスクリーンイメージである。
【発明を実施するための形態】
【００１６】
以下、本発明の望ましい実施形態を添付の図面を参照して詳細に説明する。
【００１７】
したがって、本発明の実施形態では、理解を助けるために多様で詳細な説明を含む。しかしながら、これら詳細な説明は、ほとんど典型的な例として考えられる。また、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１８】
図１は、本発明の一実施形態による複数のタッチスクリーンを含む装置を示す。
【００１９】
図１を参照すると、装置１００は、第１のハウジング１００ａ、第２のハウジング１００ｂ、及び第１のハウジング１００ａと第２のハウジング１００ｂを連結する少なくとも一つのヒンジ部１００ｃ１，１００ｃ２，１００ｃ３(図２参照)を含む。
【００２０】
第１のハウジング１００ａは、その前面に、静止画像又は動画像を撮影するための第１のカメラ１５１、少なくとも一つのボタンを含む第１のボタングループ１６１ａ、ユーザー又はオブジェクトの接近を検出する第１のセンサー１７０ａ、音声及び/又はサウンドを装置１００の外部に出力する第１のスピーカ１６３ａ、及び第１のタッチスクリーン１９０ａを含む。また、第１のハウジング１００ａは、電源/ロックボタン(図示せず)、イヤホン又はヘッドホンに連結されるイヤジャック(図示せず)、音声又はサウンドのレベルを調節する少なくとも一つのボリュームボタン(図示せず)、ケーブル(例えば、ＵＳＢ(Universal Serial Bus)ケーブル又は電源ケーブル)を用いて装置１００と接続可能な外部装置(図示せず)に接続されるコネクタ１６５(図２を参照)、音声とサウンドを出力する第２のスピーカ１６３ｂ(図２を参照)を含む。
【００２１】
第２のハウジング１００ｂは、その前面に、静止画像又は動画像を撮影する第２のカメラ１５２、少なくとも一つのボタンを含む第２のボタングループ１６１ｂ、及び第２のタッチスクリーン１９０ｂを含む。
【００２２】
ヒンジ部１００ｃ１，１００ｃ２，１００ｃ３は、第１のハウジング１００ａを第２のハウジング１００ｂに連結する。第１のハウジング１００ａと第２のハウジング１００ｂは、図２を参照してより詳細に説明される、ヒンジ部１００ｃ１，１００ｃ２，１００ｃ３により回転可能である。
【００２３】
図１に示す装置１００の構成要素は、但し一つの例であり、装置１００の性能に従って他の構成要素が追加又は削除され得る。また、構成要素の位置は、装置１００の性能及び構成に基づいて変更可能である。
【００２４】
図２Ａ〜図２Ｃは、本発明の一実施形態による複数のタッチスクリーンを含む装置を示す斜視図である。
【００２５】
図２Ａ〜図２Ｃを参照すると、装置１００の第１のハウジング１００ａと第２のハウジング１００ｂは、閉状態にある。図１及び図２Ｃを参照すると、装置１００の第１のハウジング１００ａと第２のハウジング１００ｂは、開状態にある。
【００２６】
ヒンジ部１００ｃ１，１００ｃ２，１００ｃ３は、第１のハウジング１００ａと第２のハウジング１００ｂとの間に位置される。例えば、第１のハウジング１００ａと第２のハウジング１００ｂは、ヒンジ部１００ｃ１，１００ｃ２，１００ｃ３を通じて０゜乃至２２０゜の角度内で動くことができる。さらに、第１のハウジング１００ａと第２のハウジング１００ｂは、ヒンジ部１００ｃ１，１００ｃ２，１００ｃ３を用いて０゜から５゜単位で回転できる。
【００２７】
図２Ａを参照すると、閉状態で、第１のハウジング１００ａの後面と第２のハウジング１００ｂの後面との間の角度は、０゜、例えば、第１のハウジング１００ａの後面が第２のハウジング１００ｂの後面に平行である。第１のハウジング１００ａの後面は、第２のハウジング１００ｂの後面と接触し、あるいは第２のハウジング１００ｂの後面と非常に短い間隔、例えば３ｍｍ以下で離隔される。閉状態で、第１のハウジング１００ａの後面と第２のハウジング１００ｂの後面との間の角度は、５゜より小さいことがある。
【００２８】
第１のハウジング１００ａは、その側面に、電源/ロックボタン(図示せず)、ボリュームボタン(図示せず)、マイクロホン１６２(以下、“マイク”と称する)、コネクタ１６５、及び第２のスピーカ１６３ｂを含む。
【００２９】
複数のヒンジ部１００ｃ１は、第１のハウジング１００ａの一側面の両端と第２のハウジング１００ｂの一側面の両端に連結される。複数のヒンジ部１００ｃ１は、相互に間隔Ｄ１だけ離隔される。
【００３０】
図１は、図２Ａの閉状態からオープンされた装置１００を示す。図１に示すように、開状態では、第１のハウジング１００ａを第２のハウジング１００ｂと連結する複数のヒンジ部１００ｃ１は、第１のハウジング１００ａ及び第２のハウジング１００ｂの前面に露出されない。
【００３１】
また、第１のタッチスクリーン１９０ａ及び第２のタッチスクリーン１９０ｂは、一つのヒンジ部１００ｃ１から他のヒンジ部１００ｃ１に延長される仮想ラインに実質的に平行するようにその縦方向に配置される。
【００３２】
あるいは、第１のタッチスクリーン１９０ａの長さと第２のタッチスクリーン１９０ｂの長さは、一つのヒンジ部１００ｃ１と他のヒンジ部１００ｃ１との間に間隔Ｄ１より長く形成され得る。
【００３３】
さらに、図１に四角形を有するタッチスクリーン１９０ａ，１９０ｂ各々を示すが、これらの形状及び位置方向は変更できる。
【００３４】
開状態では、間隔(space)１００ｄは、第１のタッチスクリーン１９０ａと第２のタッチスクリーン１９０ｄとの間に形成される。閉状態では、装置１００の第１のタッチスクリーン１９０ａと第１のハウジング１００ａの端部との間の間隔は、間隔１００ｄの半分である。
【００３５】
図２Ｂを参照すると、装置１００は、第１のハウジング１００ａ、第２のハウジング１００ｂ、及び一つのヒンジ部１００ｃ２を含む。特に、ヒンジ部１００ｃ２は、第１のハウジング１００ａの側面の中間部分と第２のハウジング１００ｂの側面の中間部分を連結する。
【００３６】
図１は、開状態で図２Ｂの装置１００を示す。さらに、図１を参照すれば、第１のハウジング１００ａと第２のハウジング１００ｂを連結する一つのヒンジ部１００ｃ２は、第１のハウジング１００ａの前面と第２のハウジング１００ｂの前面に露出されない。
【００３７】
図２Ｃを参照すると、装置１００は、第１のハウジング１００ａ、第２のハウジング１００ｂ、及び複数のヒンジ部１００ｃ３を含む。しかしながら、図１とは異なり、第１のハウジング１００ａと第２のハウジング１００ｂを連結する複数のヒンジ部１００ｃ３は、開状態で、第１のハウジング１００ａの前面と第２のハウジング１００ｂの前面に露出される。
【００３８】
ヒンジ部１００ｃ１及び１００ｃ３は、第１のハウジング１００ａに対応する第１のヒンジ軸(図示せず)と第２のハウジング１００ｂに対応する第２のヒンジ軸(図示せず)を使用する第１のハウジング１００ａ又は第２のハウジング１００ｂを回転させる２軸ヒンジ部(図示せず)であり得る。ヒンジ部１００ｃ２は、第１のヒンジ軸(図示せず)を提供し、第１のハウジング１００ａ及び第２のハウジング１００ｂの一端に形成され、第１のハウジング１００ａ又は第２のハウジング１００ｂを回転させる一軸ヒンジ部(図示せず)であり得る。
【００３９】
図３は、本発明の一実施形態による複数のタッチスクリーンを含む装置を示すブロック構成図である。
【００４０】
図３を参照すると、装置１００は、移動通信モジュール１２０、サブ通信モジュール１３０、及びコネクタ１６５により外部装置に連結することができる。“外部装置”は、他の装置、携帯電話、スマートフォン、コンピュータ、及びサーバなどを含む。
【００４１】
図３を参照すると、装置１００は、制御部１１０、タッチスクリーン制御部１９５、移動通信モジュール１２０、サブ通信モジュール１３０、マルチメディアモジュール１４０、カメラモジュール１５０、ＧＰＳ(Global Positioning System)モジュール、入出力モジュール１６０、センサーモジュール１７０、格納部１７５、電源供給部１８０、第１のタッチスクリーン１９０ａ、及び第２のタッチスクリーン１９０ｂを含む。
【００４２】
サブ通信モジュール１３０は、無線ＬＡＮ(Local Area Network)モジュール１３１及び近距離通信モジュール１３２を含む。マルチメディアモジュール１４０は、放送通信モジュール１４１、オーディオ再生モジュール１４２、及び動画像再生モジュール１４３を含む。カメラモジュール１５０は、第１のカメラ１５１及び第２のカメラ１５２を含む。入出力モジュール１６０は、ボタン１６１、マイク１６２、スピーカ１６３、振動モータ１６４、コネクタ１６５、及びキーパッド１６６を含む。
【００４３】
制御部１１０は、ＣＰＵ(Central Processing Unit)１１１、装置１００を制御するための制御プログラムを格納するＲＯＭ(Read Only Memory)１１２、及びＲＡＭ(Random-Access Memory)１１３を含む。ＣＰＵ１１１は、シングルコア、デュアルコア、トリプルコア、又はクアッド(quad)コアを含む。さらに、ＣＰＵ１１１、ＲＯＭ１１２、及びＲＡＭ１１３は、内部バスを通じて連結される。
【００４４】
制御部１１０は、タッチスクリーン制御部１９５、移動通信モジュール１２０、サブ通信モジュール１３０、マルチメディアモジュール１４０、カメラモジュール１５０、ＧＰＳモジュール１５５、入出力モジュール１６０、センサーモジュール１７０、格納部１７５、電源供給部１８０、第１のタッチスクリーン１９０ａ、及び第２のタッチスクリーン１９０ｂを制御する。
【００４５】
移動通信モジュール１２０は、制御部１１０の制御下に少なくとも一つのアンテナ(図示せず)を介して移動通信を通じて装置１００を外部装置と連結する。移動通信モジュール１２０は、音声通信、画像通信、ショートメッセージサービス(ＳＭＳ)、又はマルチメディアメッセージサービス(ＭＭＳ)のための無線信号を送受信する。
【００４６】
サブ通信モジュール１３０は、無線ＬＡＮモジュール１３１及び近距離通信モジュール１３２を含む。あるいは、サブ通信モジュール１３０は、無線ＬＡＮモジュール１３１又は近距離通信モジュール１３２を含むことができる。
【００４７】
無線ＬＡＮモジュール１３１は、制御部１１０の制御下に無線ＡＰ(Access  Point)でインターネットに接続する。例えば、無線ＬＡＮモジュール１３１は、ＩＥＥＥ(Institute of Electrical and Electronics Engineers)８０２.１１ｘの無線ＬＡＮ規格をサポートすることができる。
【００４８】
近距離通信モジュール１３２は、制御部１１０の制御下に、装置１００と、プリンタ又はヘッドホンのような外部装置との間で無線近距離通信を遂行する。例えば、近距離通信方式は、ブルートゥース通信、ＩｒＤＡ(Infrared Data Association)などを含むことができる。
【００４９】
または、装置１００は、移動通信モジュール１２０、無線ＬＡＮモジュール１３１、又は近距離通信モジュール１３２を含むことができる。
【００５０】
マルチメディアモジュール１４０は、放送通信モジュール１４１、オーディオ再生モジュール１４２、及び動画像再生モジュール１４３を含む。放送通信モジュール１４１は、放送通信アンテナを介して放送局から出力される、放送信号、例えばＴＶ放送、ラジオ放送、又はデータ放送信号、及び放送付加情報、例えばＥＰＳ(Electric  Program  Guide)又はＥＳＧ(Electric  Service  Guide)を受信する。
【００５１】
オーディオ再生モジュール１４２は、制御部１１０の制御下に、格納又は受信されるデジタルオーディオファイルを再生する。同様に、動画像再生モジュール１４３は、制御部１１０の制御下に、格納又は受信されたデジタル動画像ファイルを再生する。また、動画像再生モジュール１４３は、デジタルオーディオファイルを再生できる。
【００５２】
あるいは、マルチメディアモジュール１４０は、オーディオ再生モジュール１４２と動画像再生モジュール１４３のうちいずれか一つを含むことができる。
【００５３】
さらに、他の実施形態において、マルチメディアモジュール１４０のオーディオ再生モジュール１４２及び動画像再生モジュール１４３は、制御部１００に含まれることができる。
【００５４】
カメラモジュール１５０は、制御部１１０の制御下に、静止画像又は動画像を撮影するための第１のハウジング１００ａの第１のカメラ１５１及び第２のハウジング１００ｂの第２のカメラ１５２を含む。また、カメラモジュール１５０は、第１のカメラ１５１又は第２のカメラ１５２のみを含むことができる。
【００５５】
ＧＰＳモジュール１５５は、ＧＰＳ衛星からの信号に基づいて装置１００の位置を算出する。
【００５６】
入出力モジュール１６０は、ボタン１６１、マイクロホン１６２、スピーカ１６３、振動モータ１６４、コネクタ１６５、及びキーパッド１６６を含む。例えば、ボタン１６１は、第１のハウジング１００ａの第１のボタングループ１６１ａ、第２のハウジング１００ｂの第２のボタングループ１６１ｂ、第１のハウジング１００ａ又は第２のハウジング１００ｂの側面の電源/ロックボタン、ボリュームボタンを含む。
【００５７】
図１を参照すると、第１のボタングループ１６１ａは、第１のハウジング１００ａの前面に形成され、メニューボタン１６１ａ１、ホームボタン１６１ａ２、戻るボタン(back  button)１６１ａ３、及び検索ボタン１６１ａ４を含む。第２のボタングループ１６１ｂは、第２のハウジング１００ｂの前面に形成され、メニューボタン１６１ｂ１、ホームボタン１６１ｂ２、戻るボタン１６１ｂ３、及び検索ボタン１６１ｂ４を含む。
【００５８】
マイク１６２は、制御部１１０の制御下に音声又はサウンドの入力を受信し、電気的信号を生成する。少なくとも一つのマイク１６２は、第１のハウジング１００ａ及び第２のハウジング１００ｂに形成することができる。
【００５９】
スピーカ１６３は、移動通信モジュール１２０、サブ通信モジュール１３０、マルチメディアモジュール１４０、及びカメラモジュール１５０のサウンドを出力する。
【００６０】
本発明の一実施形態によると、スピーカ１６３は、第１のタッチスクリーン１９０ａから第２のタッチスクリーン１９０ｂまで連続的な複数のタッチの動きに応答するサウンドを出力する。さらに、スピーカ１６３は、第２のタッチスクリーン１９０ｂから第１のタッチスクリーン１９０ａまで連続的な複数のタッチの動きに応答するサウンドを出力する。
【００６１】
本発明の他の実施形態によると、スピーカ１６３は、第１のタッチスクリーン１９０ａから第２のタッチスクリーン１９０ｂまで連続的な一つのタッチの動き、又は第２のタッチスクリーン１９０ｂから第１のタッチスクリーン１９０ａまで連続的な一つのタッチの動きに応答するサウンドを出力する。
【００６２】
振動モータ１６４は、制御部１１０の制御下に電気的な信号を機械的振動に変換する。
【００６３】
本発明の一実施形態によると、振動モータ１６４は、第１のタッチスクリーン１９０ａから第２のタッチスクリーン１９０ｂまで連続的な複数のタッチの動きに応答して、あるいは第２のタッチスクリーン１９０ｂから第１のタッチスクリーン１９０ａまで連続的な複数のタッチの動きに応答して動作する。
【００６４】
本発明の他の実施形態によると、振動モータ１６４は、第１のタッチスクリーン１９０ａから第２のタッチスクリーン１９０ｂまで連続的な一つのタッチの動きに応答し、あるいは第２のタッチスクリーン１９０ｂから第１のタッチスクリーン１９０ａまで連続的な一つのタッチの動きに応答して動作する。
【００６５】
コネクタ１６５は、装置１００を外部装置又は電源ソースと連結するためのインターフェースである。また、制御部１１０の制御下にコネクタを通じて、装置１００の格納部１７５に格納されたデータは外部装置に伝送されるか、あるいは外部装置からデータを受信することができる。
【００６６】
キーパッド１６６は、ユーザーからキー入力を受信する。キーパッド１６６は、装置１００に形成される物理的なキーパッド及び/又は第１及び第２のタッチスクリーン１９０ａ，１９０ｂに表示される仮想のキーパッドを含む。物理的なキーパッドは、装置１００の性能に従って除外され得る。
【００６７】
センサーモジュール１７０は、装置１００の状態を検出するセンサーを含み、検出に応答して信号を生成して制御部１１０に伝送する。例えば、センサーモジュール１７０は、装置１００の周囲光の量を検出する照度センサー１７０ａ、第１のハウジング１００ａと第２のハウジング１００ｂとの間の角度を検出する角度センサー、ユーザーに装置１００の近接(proximity)可否を検出する近接センサー、又は装置１００の動作、例えば回転及び加速度を検出するモーションセンサーを含むことができる。センサーモジュール１７０に含まれるセンサーは、装置１００の性能に従って追加又は削除され得る。
【００６８】
格納部１７５は、移動通信モジュール１２０、サブ通信モジュール１３０、マルチメディアモジュール１４０、カメラモジュール１５０、ＧＰＳモジュール１５５、入出力モジュール１６０、センサーモジュール１７０、第１のタッチスクリーン１９０ａ、及び第２のタッチスクリーン１９０ｂの動作に対応して入出力される信号又はデータを格納する。また、格納部１７５は、装置１００を制御するための制御プログラムを格納する。ここで、“格納部”は、格納部１７５、制御部１１０のＲＯＭ１１２、ＲＡＭ１１３、又はメモリカード(図示せず、例えばＳＤカード及びメモリスティック)を含む。この格納部は、非揮発性メモリ、揮発性メモリ、ハードディスクドライブ(ＨＤＤ)、又はソリッドステートドライブ(ＳＳＤ)を含むことができる。
【００６９】
電源供給部１８０は、バッテリ又はコネクタ１６５を通じて外部電源ソースから装置１００へ電源を供給する。
【００７０】
第１及び第２のタッチスクリーン１９０ａ，１９０ｂは、多様なサービス、例えば通信、データ伝送、放送、写真撮影に対応する画面をユーザーに提供する。第１及び第２のタッチスクリーン１９０ａ，１９０ｂは、ユーザーの身体(例えば、指)又はタッチツール(touching  tool)(例えば、スタイラスペン)を通じるタッチ入力を受信する。
【００７１】
さらに、第１及び第２のタッチスクリーン１９０ａ，１９０ｂは、連続的なタッチの動きに対する入力を受信する。第１及び第２のタッチスクリーン１９０ａ，１９０ｂに入力されるタッチに対応するアナログ信号は、タッチスクリーン制御部１９５，１９５ａ，１９５ｂに伝送できる。タッチは、ユーザーの身体又はタッチツールとの接触だけでなく、第１及び第２のタッチスクリーン１９０ａ，１９０ｂとユーザーの身体との間隔が１ｍｍのような非接触も含むことができる。
【００７２】
第１及び第２のタッチスクリーン１９０ａ，１９０ｂは、抵抗(resistive)方式、容量(capacitive)方式、赤外線(infrared)方式、又は超音波(acousticwave)方式で実現可能である。さらに、第１及び第２のタッチスクリーン１９０ａ，１９０ｂは、開発又は商用化される他の方式で実現可能である。
【００７３】
タッチスクリーン制御部１９５は、第１及び第２のタッチスクリーン１９０ａ，１９０ｂから受信されたアナログ信号をデジタル信号(例えば、座標(ｘ，ｙ))に変換して制御部１１０に伝送する。あるいは、タッチスクリーン制御部１９５は、制御部１１０に含まれることができる。
【００７４】
制御部１１０は、タッチスクリーン制御部１９５から受信されたデジタル信号を用いて第１及び第２のタッチスクリーン１９０ａ，１９０ｂを制御する。例えば、制御部１１０は、タッチに応答して第１及び第２のタッチスクリーン１９０ａ，１９０ｂに表示されたアイコンが選択されるようにし、あるいはタッチに対応する動作を実行可能にする。
【００７５】
図４は、本発明の他の実施形態による複数のタッチスクリーンを含む装置を示すブロック構成図である。図４に示す装置は、第１の制御部１１０ａ、第２の制御部１１０ｂ、第１のタッチスクリーン制御部１９５ａ、及び第２のタッチスクリーン制御部１９５ｂを除き、上記の図３に示した構成要素と同一であるため、上記同一の構成要素に関する説明は省略する。
【００７６】
図４を参照すると、第１の制御部１１０ａは、ＣＰＵ１１１ａ、ＲＯＭ１１２ａ、及びＲＡＭ１１３ａを含む。第１の制御部１１０ａは、第１のタッチスクリーン１９０ａ、第１のタッチスクリーン制御部１９５ａ、移動通信モジュール１２０、サブ通信モジュール１３０、マルチメディアモジュール１４０、カメラモジュール１５０、ＧＰＳモジュール１５５、入出力モジュール１６０、センサーモジュール１７０、格納部１７５、及び、電源供給部１８０を制御する。
【００７７】
第１のタッチスクリーン制御部１９５ａは、第１のタッチスクリーン１９０ａから受信されたアナログ信号をデジタル信号(例えば、座標(ｘ，ｙ))に変換して第１の制御部１１０ａに伝送する。また、第１のタッチスクリーン制御部１９５ａは、第１の制御部１１０ａに含まれ得る。制御部１１０ａは、第１のタッチスクリーン制御部１９５ａから受信されたデジタル信号を用いて第１のタッチスクリーン１９０ａを制御できる。
【００７８】
第２の制御部１１０ｂは、ＣＵＰ１１１ｂ、ＲＯＭ１１２ｂ、及びＲＡＭ１１３ｂを含む。第２の制御部１１０ｂは、第１のタッチスクリーン１９０ｂ、第１のタッチスクリーン制御部１９５ｂ、移動通信モジュール１２０、サブ通信モジュール１３０、マルチメディアモジュール１４０、カメラモジュール１５０、ＧＰＳモジュール１５５、入出力モジュール１６０、センサーモジュール１７０、格納部１７５、及び電源供給部１８０を制御する。
【００７９】
第２のタッチスクリーン制御部１９５ｂは、第２のタッチスクリーン１９０ｂから受信されたアナログ信号をデジタル信号(例えば、座標(ｘ，ｙ))に変換して第２の制御部１１０ｂに伝送する。さらに、第２のタッチスクリーン制御部１９５ｂは、第２の制御部１１０ｂに含まれ得る。第２の制御部１１０ｂは、第２のタッチスクリーン制御部１９５ｂから受信されたデジタル信号を用いて第２のタッチスクリーン１９０ｂを制御できる。
【００８０】
第１の制御部１１０ａは、第１の制御部１１０ａが配置される第１のハウジング１００ａの、少なくとも一つの構成要素、例えば第１のタッチスクリーン１９０ａ、第１のタッチスクリーン制御部１９５ａ、移動通信モジュール１２０、サブ通信モジュール１３０、マルチメディアモジュール１４０、第１のカメラ１５１、ＧＰＳモジュール１５５、第１のボタングループ１６１ａ、電源/ロックボタン、ボリュームボタン、センサーモジュール１７０、格納部１７５、及び電源供給部１８０を制御する。
【００８１】
第２の制御部１１０ｂは、第２の制御部１１０ｂが配置される第２のハウジング１００ｂの、少なくとも一つの構成要素、例えば第２のタッチスクリーン１９０ｂ、第２のタッチスクリーン制御部１９５ｂ、第２のカメラ１５２、第２のボタングループ１６０ｂ、格納部１７５、及び電源供給部１８０を制御する。
【００８２】
さらに、第１の制御部１１０ａは、モジュール単位で移動通信モジュール１２０、サブ通信モジュール１３０、及び入出力モジュール１６０を制御し、第２の制御部１１０ｂは、モジュールの単位でマルチメディアモジュール１４０、カメラモジュール１５０、ＧＰＳモジュール１５５、及びセンサーモジュール１７０を制御する。
【００８３】
また、第１の制御部１１０ａと第２の制御部１１０ｂは、優先順位(priority)に従って装置１００の構成要素を制御できる。例えば、第１の制御部１１０ａは移動通信モジュール１２０を優先的に制御し、第２の制御部１１０ｂはマルチメディアモジュール１４０を優先的に制御する。
【００８４】
図１１Ａを参照すると、装置１００の構成要素の優先順位は、環境設定１１００の優先順位設定を用いて変更することができる。
【００８５】
図５は、本発明の実施形態による複数のタッチスクリーンを含む装置の画面変更方法を示すフローチャートである。また、図８Ａ及び図８Ｂは、本発明の実施形態による複数のタッチスクリーンを含む装置の画面変更方法を示すスクリーンイメージである。図５を参照すると、ステップＳ５０１で、第１の画面は、第１のタッチスクリーンに表示される。
【００８６】
特に、図８Ａを参照すれば、第１の画面８００は、第１のタッチスクリーン１９０ａに表示される。第１の画面８００は、メッセンジャーアプリケーションの名称を表示するタイトルバー８０１及び友人(friend)リスト画面８１０を含む。登録された友人８１１〜８１５は、友人リスト画面８１０に別々に表示される。表示された友人８１１〜８１５の各々は、名前、写真、メッセージ件数、メッセージ受信時間、及び/又はメッセージの一部を含むことができる。
【００８７】
図５のステップＳ５０２において、第２の画面は、第２のタッチスクリーンに表示される。
【００８８】
より詳細には、図８Ａを参照すると、第２の画面８５０は、第２のタッチスクリーン１９０ｂに表示される。第２の画面８５０は、複数の写真が表示されるフォトスクリーン８６０を含む。
【００８９】
図８Ａに示すように、第１の画面８００と第２の画面８５０は、装置１００に実行される別個のアプリケーションに対応する画面である。
【００９０】
図５のステップＳ５０３において、複数のタッチは、第１のタッチスクリーンで検出される。
【００９１】
より詳細には、図８Ａを参照すると、ユーザーは、装置１００の第１のタッチスクリーン１９０ａに複数のタッチ８８０，８８１を入力する。制御部１１０は、第１のタッチスクリーン１９０ａ及びタッチスクリーン制御部１９５を用いて複数のタッチ８８０，８８１を検出し、あるいは制御部１１０ａは、第１のタッチスクリーン１９０ａ及び第１のタッチスクリーン制御部１９５ａを用いて複数のタッチ８８０，８８１を検出する。制御部１１０又は第１の制御部１１０ａは、最初のタッチ時間と以後のタッチ時間との間の第１の時間間隔に基づいて複数のタッチ８８０，８８１を検出できる。例えば、第１及び第２のタッチ間の間隔が１ｓｅｃ以下である場合、制御部１１０又は第１の制御部１１０ａは、入力タッチが複数のタッチであると決定する。しかしながら、制御部１１０又は第１の制御部１１０ａは、例えば、複数のタッチ間の時間間隔が１ｓｅｃを越える場合、又は一つのタッチのみが検出される場合、入力タッチが複数のタッチでないと決定する。
【００９２】
制御部１１０又は第１の制御部１１０ａは、各々タッチスクリーン制御部１９５又は１９５ａから複数のタッチ８８０，８８１に対応する第１の画面８００上の位置８８０ａ，８８１ａ、例えば、座標(ｘ，ｙ)を受信する。
【００９３】
図８Ａを参照すると、複数のタッチ８８０，８８１に対応する第１の画面８００上の位置は、友人リスト画面８１０にある。タッチ８８０の位置に対応する友人は、装置１００の設定、例えば複数のタッチの順序に従って区別して表示される。装置１００の設定は、複数のタッチの位置、例えば選択可能領域の存在有無、あるいは下位レベルの階層構造での存在有無を含むことができる。さらに、装置１００が複数のタッチに対応する設定がない場合、制御部１１０又は第１の制御部１１０ａは、複数のタッチのみを検出する。図８Ａとは異なり、検出された複数のタッチの位置に対応する領域は、区別なしに表示される。
【００９４】
図５のステップＳ５０４において、第１のタッチスクリーンで複数のタッチの動きが検出される。
【００９５】
図８Ａを参照すれば、複数のタッチ８８０，８８１は、第２のタッチスクリーン１９０ｂの方向にドラッグアンドドロップ(drag  ＆  drop)ジェスチャ又はフリック(flick)ジェスチャである。より詳細には、制御部１１０又は第１の制御部１１０ａは、各々第１のタッチスクリーン１９０ａ及びタッチスクリーン制御部１９５，１９５ａを用いて第１のタッチスクリーン１９０に接触する複数のタッチ８８０，８８１の連続動作を検出する。複数のタッチ８８０，８８１の連続動作、例えば位置８８０ａ，８８１ａから位置８８０ｂ，８８１ｂへの移動は、第１のタッチスクリーン１９０ａで複数のタッチ８８０，８８１に対する連続的なタッチジェスチャ、例えば位置８８０ａ，８８１ａか位置８８０ｄ，８８１ｄへの移動の一部を意味する。また、複数のタッチ８８０，８８１の連続動作、例えば位置８８０ｃ，８８１ｃから位置８８０ｄ，８８１ｄへの移動は、第２のタッチスクリーン１９０ｂで複数のタッチ８８０，８８１に対する連続的なタッチジェスチャ、例えば位置８８０ａ，８８１ａから位置８８０ｄ，８８１ｄへの移動の一部を意味する。
【００９６】
複数のタッチの連続動作は、複数のタッチ８８０，８８１が通過する間隔１００ｄを除き、第１のタッチスクリーン１９０ａと第２のタッチスクリーン１９０ｂ上に接触が継続して維持されることを意味する。複数のタッチの連続動作は、間隔１００ｄと第２のタッチスクリーン１９０ｂ上の最初位置(initial  position)８８０ｃ，８８１ｃから維持される複数の接触が最後位置(last  position)８８０ｄ，８８１ｄで分離される。また、複数のタッチの連続動作は、複数のタッチ８８０，８８１以後に複数のタッチのうち少なくとも一つのタッチの連続動作、例えば位置８８０ａから位置８８０ｄへの一つのタッチの移動、位置８８１ａから位置８８１ｂへの他の一つのタッチの移動、又は位置８８０ａ，８８１ａから位置８８０ｂ，８８１ｂへの複数のタッチの移動を意味する。
【００９７】
図５のステップＳ５０５において、第２のタッチスクリーンで複数のタッチの到着が検出される。
【００９８】
図８Ａを参照すれば、複数のタッチ８８０，８８１は、第１のタッチスクリーン１９０ａで始まり、第１のタッチスクリーン１９０ａと第２のタッチスクリーン１９０ｂとの間の間隔１００ｄを通過して第２のタッチスクリーン１９０ｂに到着する。
【００９９】
制御部１１０、又は第１の制御部１１０ａ及び第２の制御部１１０ｂは、第１及び第２のタッチスクリーン１９０ａ，１９０ｂとタッチスクリーン制御部１９５，１９５ａ，１９５ｂを用いて複数のタッチ８８０，８８１の連続動作、例えば最初位置８８０ａ，８８１ａから最後位置８８０ｄ，８８１ｄへの移動を検出する。制御部１１０、又は第１及び第２の制御部１１０ａ，１１０ｂは、複数のタッチ８８０，８８１の第１のタッチスクリーン１９０ａでの最後位置８８０ｂ、８８１ｂと、第２のタッチスクリーン１９０ｂに到着した最初位置８８０ｃ，８８１ｃを認識する。
【０１００】
制御部１１０、又は第１の制御部１１０ａ及び第２の制御部１１０ｂは、複数のタッチ８８０，８８１の第２のタッチスクリーン１９０ｂに到着を第２の時間間隔、例えば間隔１００ｄを通過する時間、決定された領域、または方向、例えば許容傾き範囲に基づいて検出する。
【０１０１】
図１０Ａ〜図１０Ｃは、本発明の実施形態による連続的なタッチの到着の例を示すスクリーンイメージである。
【０１０２】
図１０Ａ〜図１０Ｃを参照すると、複数のタッチ８８０，８８１の到着は、第２時間間隔Ｔ２(例えば、０.５ｓｅｃ)内に第１のタッチスクリーン１９０ａの最後位置８８０ｂ，８８１ｂでの時間ｔ１と第２のタッチスクリーン１９０ｂの最初位置８８０ｃ，８８１ｃでの時間ｔ２との間の時間を用いて検出され、第１のタッチスクリーン１９０ａの最後位置８８０ｂ、８８１ｂから第２のタッチスクリーン１９０ｂの最初位置８８０ｃ，８８１ｃを含む決定された領域Ａ１に複数のタッチ８８０，８８１の到着が検出され、あるいは連続的な複数のタッチ８８０，８８１の第１のタッチスクリーン１９０ａの最初位置８８０ａ，８８１ａから最後位置８８０ｂ，８８１ｂへの傾き(gradient)θ１に基づいて第２のタッチスクリーン１９０ｂの最初位置８８０ｃ，８８１ｃ含む許容傾き範囲Ｒ１内に複数のタッチ８８０，８８１の到着が検出され得る。
【０１０３】
図１１Ｂを参照すると、第２の時間間隔Ｔ２は、複数のタッチ設定１１１０のタッチの時間間隔１１１２を用いて変更できる。
【０１０４】
図１０Ｂを参照すると、決定された領域Ａ１は、第１のタッチスクリーン１９０ａの最後位置８８０ｂ、８８１ｂから第２のタッチスクリーン１９０ｂへ延長した位置に基づいて半径３ｃｍである。また、決定された領域は、多角形の形状、例えば横３ｃｍ、縦６ｃｍの多角形である。各々タッチ８８０，８８１の決定された領域は重なることがある。
【０１０５】
図１１Ｂを参照すると、決定された領域Ａ１は、複数のタッチ設定１１１０の決定された領域の半径１１１３を用いて変更できる。
【０１０６】
図１０Ｃを参照すると、許容傾き範囲Ｒ１は、第２の傾きθ２，θ３、例えば±４５゜の範囲を意味する。例えば、連続的な複数のタッチ８８０，８８１の第１の傾きθ1、すなわち第１のタッチスクリーン１９０ａの最初位置８８０ａ，８８１ａから最後位置８８０ｂ，８８１ｂまでの直線傾きの角度が１５゜である場合、第２のタッチスクリーン１９０ｂの最初位置８８０ｃ，８８１ｃは、第２の傾きθ２，θ３、例えば第１のタッチスクリーン１９０ａの最後位置８８０ｂ，８８１ｂから第２のタッチスクリーン１９０ｂの最初位置までの傾きの角度が６０゜〜−３０゜の範囲を意味する。それぞれのタッチ８８０，８８１の許容傾き範囲は、重なることができる。
【０１０７】
図１１Ｂを参照すると、許容傾き範囲Ｒ１は、複数のタッチ設定１１１０の許容気傾き範囲１１１４を用いて変更することができる。
【０１０８】
制御部１１０、又は第１の制御部１１０ａ及び第２の制御部１１０ｂは、複数のタッチ８８０，８８１の第２のタッチスクリーン１９０ｂの到着位置８８０ｃ，８８１ｃに応答するフィードバックをユーザーに提供できる。加えて、視覚的フィードバック、聴覚的フィードバック、及び/又は触覚的フィードバックが提供され得る。
【０１０９】
例えば、視覚的フィードバックは、複数のタッチ８８０，８８１の第２のタッチスクリーン１９０ｂの到着位置８８０ｃ，８８１ｃに応答する、画面変更効果、例えばフェーディング、押し(pushing)、又は覆い(covering)として第１のタッチスクリーン１９０ａ又は第２のタッチスクリーン１９０ａに表示することができる。聴覚的フィードバックは、複数のタッチ８８０，８８１の第２のタッチスクリーン１９０ｂの到着位置８８０ｃ，８８１ｃに応答するサウンドとして第１のスピーカ１６３ａ又は第２のスピーカ１６３ｂを通じて出力することができる。触覚的フィードバックは、複数のタッチ８８０，８８１の第２のタッチスクリーン１９０ｂの到着位置８８０ｃ，８８１ｃに応答する振動として振動モータ１６４により出力することができる。
【０１１０】
図１１Ｂを参照すると、少なくとも一つのフィードバックをユーザーに提供する時間(例えば、１ｓｅｃ)、及びフィードバックの選択、例えば視覚的フィードバック、聴覚的フィードバック、及び触覚的フィードバックのうち少なくとも一つの選択は、複数のタッチ設定１１１０のフィードバック設定１１１６を用いて変更できる。
【０１１１】
図５のステップＳ５０６において、第２のタッチスクリーンの第２の画面が変更される。
【０１１２】
図８Ａを参照すると、制御部１１０又は第２の制御部１１０ｂは、複数のタッチ８８０，８８１の第２のタッチスクリーン１９０ｂの到着位置８８０ｃ，８８１ｃに応答して第２の画面８５０を第３の画面８２０に変更する。第３の画面８２０は、第１の画面８００に対応する。例えば、第３の画面８２０は、友人リスト画面８１０に表示される友人８１１の詳細画面である。第３の画面８２０は、友人の写真と名前領域８２１及び友人とのメッセージの送受信の時間及び送受信メッセージのコンテンツ８２３を表示するメッセージ領域８２２を含む。
【０１１３】
本発明の一実施形態によると、第２の画面８５０から第３の画面８２０への変更は、第１及び第２のタッチスクリーン１９０ａ，１９０ｂ両方ともが一つのアプリケーション、すなわち第１のタッチスクリーン１９０ａ上のアプリケーションに対応する画面８１０，８２０に表示される。第２の画面８５０から第３の画面８２０への変更は、複数のタッチ８８０，８８１の連続動作が位置８８０ｄ，８８１ｄで完了する前に完了することができる。
【０１１４】
図１１Ｂを参照すると、第２の画面８５０から第３の画面８２０に変更される時間は、複数のタッチ設定１１１０の画面変更時間を用いて変更することができる。
【０１１５】
また、制御部１１０又は第２の制御部１１０ｂは、複数のタッチ８８０，８８１のうち少なくとも一つの第２のタッチスクリーン１９０ｂの到着に応答して第１のタッチスクリーン１９０ａの第１の画面８００と第２のタッチスクリーン１９０ｂの第２の画面８５０のうち少なくとも一つの画面を変更する。
【０１１６】
図５のステップＳ５０７において、第２のタッチスクリーンで複数のタッチが検出される。
【０１１７】
より詳細には、図８Ｂを参照すると、ユーザーは、第２のタッチスクリーン１９０ｂの第３の画面８２０に複数のタッチ８８２，８８３を入力する。制御部１１０又は第２の制御部１１０ｂは、第２のタッチスクリーン１９０ｂとタッチスクリーン制御部１９５，１９５ｂを用いて第３の画面８２０に複数のタッチ８８２，８８３を検出する。ステップＳ５０７は、ステップＳ５０３と同一である。したがって、ステップＳ５０７の説明は、省略する。
【０１１８】
ステップＳ５０８において、第２のタッチスクリーンで複数のタッチの動きが検出される。
【０１１９】
より詳細には、図８Ｂを参照すると、制御部１１０又は第２の制御部１１０ｂは、第２のタッチスクリーン１９０ｂ及びタッチスクリーン制御部１９５，１９５ｂを用いて第２のタッチスクリーン１９０ｂの第３の画面８２０に接触する複数のタッチ８８２，８８３の連続動作、例えば位置８８２ａ，８８３ａから８８２ｂ、８８３ｂへの移動を検出する。ステップＳ５０８は、ステップＳ５０４と同一である。したがって、ステップＳ５０８の説明は省略する。
【０１２０】
ステップＳ５０９において、装置１００は、第１のタッチスクリーン１９０ｂで複数のタッチの到着を検出する。
【０１２１】
より詳細には、図８Ｂを参照すれば、複数のタッチ８８２，８８３は、第２のタッチスクリーン１９０ｂから間隔１１０ｄを通過して第１のタッチスクリーン１９０ａに到着する。制御部１１０、又は第１の制御部１１０ａ及び第２の制御部１１０ｂは、タッチスクリーン１９０ａ，１９０ｂとタッチスクリーン制御部１９５，１９５ａ，１９５ｂを用いて、複数のタッチ８８２，８８３の連続動作、例えば第３の画面８２０の最初位置８８２ａ，８８３ａから第１の画面８００の最後位置８８２ｄ，８８３ｄへの移動を検出する。制御部１１０、又は第１の制御部１１０ａ及び第２の制御部１１０ｂは、タッチスクリーン制御部１９５，１９５ａ，１９５ｂを用いて複数のタッチ８８０，８８１の第２のタッチスクリーン１９０ｂでの最後位置８８２ｂ，８８３ｂと第１のタッチスクリーン１９０ａに到着した最初位置８８２ｃ，８８３ｃが分かる。
【０１２２】
ステップＳ５０９は、ステップＳ５０５と同一である。したがって、ステップＳ５０９の説明は省略する。
【０１２３】
図５のステップＳ５１０は、第２のタッチスクリーンの第３画面を変更する。
【０１２４】
図８Ｂを参照すると、制御部１１０又は第２の制御部１１０ｂは、第１のタッチスクリーン１９０ａに複数のタッチ８８２，８８３の到着位置８８２ｃ，８８３ｃに応答して第３の画面８２０を第２の画面８５０に変更する。
【０１２５】
ステップＳ５１０は、ステップＳ５０５と同一である。したがって、ステップＳ５１０の説明は省略する。
【０１２６】
変更された第２の画面８５０は、図８Ａに表示したフォトスクリーン８６０である。
【０１２７】
したがって、本発明の実施形態によれば、第１の画面８００と第２の画面８５０は、装置１００で実行中である異なるアプリケーションに対応する。
【０１２８】
図６は、本発明の他の実施形態による複数のタッチスクリーンを含む装置の画面変更方法を示すフローチャートである。図９Ａ及び図９Ｂは、本発明の他の実施形態による複数のタッチスクリーンを含む装置の画面変更方法を示すスクリーンイメージである。
【０１２９】
図６を参照すると、第１の画面は、ステップ６０１で第１のタッチスクリーンに表示される。
【０１３０】
図９Ａを参照すると、第１の画面９００、すなわち写真は、装置１００の第１のタッチスクリーン１９０ａに表示される。
【０１３１】
図６のステップ６０２において、第２の画面は第２のタッチスクリーンに表示される。
【０１３２】
より詳細には、図９Ａを参照すると、音楽再生のための作動ボタン９６１、例えば、再生、停止、早送り、及び巻き戻しを含む音楽再生スクリーン９６０は、装置１００の第２のタッチスクリーン１９０ｂの第２の画面９５０に表示される。
【０１３３】
本発明の一実施形態によると、異なるアプリケーションに対応する第１の画面９００と第２の画面９５０は、装置１００で実行される。
【０１３４】
図６のステップＳ６０３では、第１のタッチスクリーンで複数のタッチが検出される。
【０１３５】
図９Ａを参照すると、ユーザーは、装置１００の第１のタッチスクリーン１９０ａに複数のタッチ９８０，９８１を入力する。複数のタッチ９８０，９８１は、例えば２本の指、１本の指及びタッチツール、又は複数タッチツールで入力することができる。
【０１３６】
制御部１１０又は制御部１１０ａは、第１のタッチスクリーン１９０及びタッチスクリーン制御部１９５，１９５ａを用いて複数のタッチ９８０，９８１を検出する。制御部１１０，１１０ａは、上記したように、以前タッチと以後タッチとの間の所定の第３の時間間隔に基づいて複数のタッチ９８０，９８１を検出できる。
【０１３７】
制御部１１０又は制御部１１０ａは、タッチスクリーン制御部１９５，１９５ａから複数のタッチ９８２，９８３に対応する第１のタッチスクリーン１９０ａ上の位置８８２ａ，８８３ａ、例えば座標(ｘ，ｙ)を受信する。図９Ａにおいて、複数のタッチ９８０，９８１に対応する位置は、第１の画面９００のフォトスクリーン９１０にある。
【０１３８】
制御部１１０又は制御部１１０ａは、タッチスクリーン１９５，１９５ａから複数のタッチ９８２，９８３に対応して第１のタッチスクリーン１９０ａ上に位置８８２ａ，８８３ａ、例えば座標(ｘ，ｙ)を受信する。図９Ａにおいて、複数のタッチ９８０，９８１に対応する位置は、第１の画面９００のフォトスクリーン９１０にある。
【０１３９】
図６のステップＳ６０４において、第１のタッチスクリーン１９０ａで少なくとも一つのタッチの動きが検出される。
【０１４０】
図９Ａを参照すると、制御部１１０又は１１０ａは、第１のタッチスクリーン１９０ａ及びタッチスクリーン制御部１９５，１９５ａを用いて、第１のタッチスクリーン１９０ａに接触する複数のタッチ９８０，９８１に対して少なくとも一つのタッチの連続動作を検出する。少なくとも一つのタッチの連続動作は、複数のタッチ９８０，９８１のうち一つのタッチ９８０が第２のタッチスクリーン１９０ｂの方向に、例えば位置９８０ａから位置９８０ｂへ移動し、他のタッチ９８１が固定、例えば位置９８１ａに固定され、あるいは第２のタッチスクリーン１９０ｂの反対方向に、例えば位置９８１ａから位置９８１ｂへ移動することを意味する。
【０１４１】
少なくとも一つのタッチの連続動作は、一つのタッチ９８０が通過する間隔１００ｄを除き、第１のタッチスクリーン１９０ａと第２のタッチスクリーン１９０ｂ上で接触が継続して維持されることを意味する。一つのタッチの連続動作は、間隔１００ｄで分離され、第２のタッチスクリーン１９０ｂ上の最初位置９８０ｃから維持される上記連続動作の接触は、最後位置９８０ｄで分離される。
【０１４２】
図９Ａを参照すると、一つのタッチ９８０は、第２のタッチスクリーン１９０ｂの方向へ移動し、他のタッチ９８１は、第２のタッチスクリーン１９０ｂの反対方向へ移動するスプレッド(spread)ジェスチャを示す。さらに、スプレッドジェスチャは、第２のタッチスクリーン１９０ｂの方向に移動する一つのタッチ９８０と、第１のタッチスクリーン１９０ａで固定される他のタッチ９８１とを含む。
【０１４３】
図６のステップＳ６０５において、少なくとも一つのタッチの到着は、第２のタッチスクリーンで検出される。
【０１４４】
図９Ａを参照すれば、一つのタッチ９８０は、第１のタッチスクリーン１９０ａで始まり、第１のタッチスクリーン１９０ａと第２のタッチスクリーン１９０ｂとの間の間隔１００ｄを通過して第２のタッチスクリーン１９０ｂに到着する。制御部１１０、又は第１の制御部１１０ａ及び第２の制御部１１０ｂは、タッチスクリーン制御部１９５，１９５ａ，１９５ｂを用いて一つのタッチ９８０の連続動作、例えば最初位置９８０ａから最後位置９８０ｄへの移動を検出する。制御部１１０、又は第１及び第２の制御部１１０ａ，１１０ｂは、タッチスクリーン制御部１９５，１９５ａ，１９５ｂを用いて一つのタッチ９８０に対して、第１のタッチスクリーン１９０ａでの最後位置９８０ｂと第２のタッチスクリーン１９０ｂに到着する最初位置９８０ｃを認識できる。
【０１４５】
図１０Ａ〜図１０Ｃを参照して説明したように、制御部１１０、又は第１の制御部１１０ａ及び第２の制御部１１０ｂは、一つのタッチ９８０の第２のタッチスクリーン１９０ｂに到着を第４の時間間隔、例えば間隔１００ｄを通過する時間、決定された領域、または方向、例えば許容傾き範囲を用いて検出する。
【０１４６】
図６のステップＳ６０６において、第２のタッチスクリーンの第２の画面が変更される。
【０１４７】
より詳細には、図９Ａを参照すれば、制御部１１０、又は第１及び第２の制御部１１０ａ，１１０ｂは、第２のタッチスクリーン１９０ｂの位置９８０ｃで一つのタッチ９８０の到着に応答して第２の画面９５０を第３の画面９２０に変更する。第３の画面９２０は、第１の画面９１０に対応する画面、例えば第３の画面９２０が第１の画面９００のフォトスクリーン９１０が第１の画面９００と第２の画面９５０を含むフルサイズのスクリーンに拡大される一部分である。フォトスクリーン９１０は、フルサイズスクリーンへの拡大に対応して拡大画面９１５に変更される。
【０１４８】
本発明の一実施形態によると、第３の画面９２０への変更は、スクリーン９１５，９２０が一つのアプリケーションに対応することを意味する。
【０１４９】
第１の画面９００から拡大画面９１５への変更は、第２の画面９５０から第３の画面９２０への変更が完了する前に開始され得る。
【０１５０】
制御部１１０，又は第１の制御部１１０ａ及び第２の制御部１１０ｂは、第２のタッチスクリーン１９０ｂで複数のタッチ９８０，９８１のうち少なくとも一つのタッチの到着に応答して第１のタッチスクリーン１９０ａの第１の画面９００と第２のタッチスクリーン１９０ｂの第２の画面９５０のうち少なくとも一つの画面を変更する。
【０１５１】
図６のステップＳ６０７において、装置１００は、第１のタッチスクリーンと第２のタッチスクリーンで各々のタッチを検出する。
【０１５２】
より詳しくは、図９Ｂを参照すると、ユーザーは、第１のタッチスクリーン１９０ａの拡大画面９１５にタッチ９８３を入力し、第２のタッチスクリーン１９０ｂの第３の画面９２０にタッチ９８２を入力する。制御部１１０、又は第１の制御部１１０ａ及び第２の制御部１１０ｂは、タッチスクリーン１９０ａ，１９０ｂ及びタッチスクリーン制御部１９５，１９５ａ，１９５ｂを用いてそれぞれのタッチ９８２，９８３を検出することができる。制御部１１０、又は第１の制御部１１０ａ及び第２の制御部１１０ｂは、装置１００に設定された以前タッチと以後タッチとの間の第５の時間間隔に基づいてそれぞれのタッチ９８２，９８３を検出する。
【０１５３】
制御部１１０、又は第１の制御部１１０ａ及び第２の制御部１１０ｂは、タッチスクリーン制御部１９５，１９５ａ，１９５ｂからそれぞれのタッチ９８２，９８３に対応する第１のタッチスクリーン１９０ａと第２のタッチスクリーン１９０ｂの位置９８２ａ，９８２ｂ、例えば座標(ｘ，ｙ)を受信する。
【０１５４】
図９Ｂを参照すると、それぞれのタッチ９８２，９８３に対応する位置９８０ａ，９８０ｂは、拡大画面９１５と第３の画面９２０に含まれる。
【０１５５】
図６のステップＳ６０８において、第１のタッチスクリーン及び第２のタッチスクリーンで少なくとも一つのタッチの動きが検出される。
【０１５６】
図９Ｂを参照すると、制御部１１０、又は第１の制御部１１０ａ及び第２の制御部１１０ｂは、第１及び第２のタッチスクリーン１９０ａ，１９０ｂ及びタッチスクリーン制御部１９０ｃ，１９０ｃ１，１９０ｃ２を用いて第１のタッチスクリーン１９０ａと第２のタッチスクリーン１９０ｂに接触する各タッチ９８２，９８３に対して少なくとも一つのタッチの連続動作を検出する。少なくとも一つのタッチの連続動作は、第２のタッチスクリーン１９０ｂ上の一つのタッチ９８２が第１のタッチスクリーン１９０ａの方向に移動し(例えば位置９８２ａから位置９８２ｂへの移動)、第１のタッチスクリーン１９０ａ上の他のタッチ９８３が固定され(例えば、位置９８３ａに固定)、あるいは第２のタッチスクリーン１９０ｂ上の一つのタッチ９８２が第１のタッチスクリーン１９０ａの方向に移動し(例えば、位置９８２ａから位置９８２ｂへの移動)、第１のタッチスクリーン１９０ａ上の他のタッチ９８３が第２のタッチスクリーン１９０ｂの方向に移動する(例えば、位置９８３ａから位置９８３ｂへの移動)ことを意味する。少なくとも一つのタッチの連続動作は、一つのタッチ９８２が通過する間隔１００ｄを除き、第２のタッチスクリーン１９０ｂと第１のタッチスクリーン１９０ａ上に接触が継続して維持されることを意味する。
【０１５７】
図９Ｂを参照すると、第１のタッチスクリーン１９０ａの方向へ移動する一つのタッチ９８２と、第２のタッチスクリーン１９０ｂの方向に移動する他のタッチ９８３は、ピンチ(pinch)ジェスチャである。また、ピンチジェスチャは、第１のタッチスクリーン１９０ａの方向へ移動する一つのタッチ９８２と、第２のタッチスクリーン１９０ｂで固定される他のタッチ９８３を含む。
【０１５８】
図６のステップＳ６０９では、第２のタッチスクリーンからの第１のタッチスクリーンにおける一つのタッチの到着が検出される。
【０１５９】
より詳細には、図９Ｂを参照すれば、一つのタッチ９８２は、第２のタッチスクリーン１９０ｂで入力され、間隔１００ｄを通過して第１のタッチスクリーン１９０ａに到着する。制御部１１０、又は第１の制御部１１０ａ及び第２の制御部１１０ｂは、タッチスクリーン制御部１９５，１９５ａ，１９５ｂを用いて複数のタッチ９８２，９８３のうち一つのタッチ９８２の連続動作、例えば最初位置９８２ａから最後位置９８２ｂへの移動を検出する。制御部１１０、又は第１の制御部１１０ａ及び第２の制御部１１０ｂは、タッチスクリーン制御部１９５，１９５ａ，１９５ｂを用いて一つのタッチ９８０の第２のタッチスクリーン１９０ｂでの最後位置９８２ｂと第１のタッチスクリーン１９０に到着した最初位置９８２ｃを認識する。
【０１６０】
図１０Ａ〜図１０Ｃを参照して説明したように、制御部１１０、又は第１の制御部１１０ａ及び第２の制御部１１０ｂは、第６の時間間隔、例えば間隔１００ｄを通過する時間、決定された領域、又は方向、例えば許容傾き範囲に基づいて第１のタッチスクリーン１９０ａで一つのタッチ９８２の到着を検出する。
【０１６１】
図６のステップＳ６１０では、第２のタッチスクリーンの第３の画面が変更される。
【０１６２】
より詳細に、図９Ｂを参照すると、制御部１１０、又は第１の制御部１１０ａ及び第２の制御部１１０ｂは、第１のタッチスクリーン１９０ａの位置９８０ｃで一つのタッチ９８２の到着に応答して第３の画面９２０を第２の画面９５０に変更する。さらに、拡大画面９１５は、第１の画面９００に変更される。
【０１６３】
また、制御部１１０、又は第１の制御部１１０ａ及び第２の制御部１１０ｂは、第１のタッチスクリーン１９０ａで複数のタッチ９０８，９８１のうち少なくとも一つのタッチの到着に応答して第１のタッチスクリーン１９０ａの拡大画面９１５と第２のタッチスクリーン１９０ｂの第３の画面９２０との少なくとも一つの画面を変更する。
【０１６４】
本発明の実施形態によると、第３の画面９２０から第２の画面９５０への変更は、それぞれ、異なるアプリケーションに対応して更に画面９００，９５０を表示する。
【０１６５】
図７は、本発明の一実施形態による複数のタッチに対する設定を示すフローチャートである。
【０１６６】
図７を参照すると、ステップＳ７０１において、ホーム画面は、第１のタッチスクリーン又は第２のタッチスクリーンに表示される。
【０１６７】
例えば、図１を参照すれば、ユーザーが第１のハウジング１００ａの第１のボタングループ１６１ａのホームボタン１６１ａ３を選択する場合、ホーム画面は、第１のタッチスクリーン１９０ａに表示される。同様に、ユーザーが第２のハウジング１００ｂの第２のボタングループ１６１ｂのホームボタン１６１ｂ３を選択する場合、ホーム画面は、第２のタッチスクリーン１９０ｂに表示される。
【０１６８】
図７のステップＳ７０２において、環境設定は、第１のタッチスクリーンで選択され、ステップ７０３においては、環境設定が表示される。
【０１６９】
図１１Ａは、本発明の一実施形態による複数のタッチ設定の例を示すスクリーンイメージである。
【０１７０】
図１１Ａを参照すると、環境設定１１００は、第１のタッチスクリーン１９０ａに表示される。環境設定１１００は、無線ネットワーク１１０１のアイテム、通信１１０２、サウンド１１０３、ディスプレイ１１０５、セキュリティ１１０５、及び複数のタッチ設定１１０６を含む。この環境設定で表示されるアイテムは、装置１００の性能に従って追加又は削除することができる。
【０１７１】
図７のステップＳ７０４において、複数のタッチに対する設定は遂行される。
【０１７２】
図１１Ｂは、本発明の一実施形態による複数のタッチ設定の例を示すスクリーンイメージである。特に、ユーザーが図１１Ａの複数のタッチ設定１１０６を選択する場合、図１１Ｂの複数のタッチ設定１１１０が表示される。
【０１７３】
図１１Ｂを参照すると、複数のタッチ設定１１１０は、順序１１１１、複数のタッチ間のタッチ時間間隔１１１２、決定された領域の半径１１３、複数のタッチ間の許容傾き範囲１１１４、画面変更に対応するタッチジェスチャの変更１１１５、及びフィードバック設定を含む。複数のタッチに対する設定は、装置１００によりサポートされる性能に基づいて追加又は削除され得る。
【０１７４】
上記したような本発明の実施形態による方法は、多様なコンピュータ手段を通じて遂行できるプログラム命令形態で実現され、コンピュータ読み取り可能媒体に記録することができる。このコンピュータ読み取り可能媒体は、プログラム命令、データファイル、及びデータ構造またはその組み合わせを含むことができる。上記媒体に記録されるプログラム命令は、本発明のために特別に設計及び構成され、あるいはコンピュータソフトウェア分野における通常の知識を持つ者には公知されて使用することができる。
【０１７５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１７６】
１００  装置
１００ａ  第１のハウジング
１００ｂ  第２のハウジング
１００ｃ１，１００ｃ２，１００ｃ３  ヒンジ部
１００ｄ  間隔
１１０  制御部
１１０，１１０ａ  制御部
１１０ｄ  間隔
１１１  （Ｃｅｎｔｒａｌ  Ｐｒｏｃｅｓｓｉｎｇ  Ｕｎｉｔ）
１１２  （Ｒｅａｄ  Ｏｎｌｙ  Ｍｅｍｏｒｙ）
１１３  （Ｒａｎｄｏｍ−Ａｃｃｅｓｓ  Ｍｅｍｏｒｙ）
１２０  移動通信モジュール
１３０  サブ通信モジュール
１３１  無線ＬＡＮモジュール
１３２  近距離通信モジュール
１４０  マルチメディアモジュール
１４１  放送通信モジュール
１４２  オーディオ再生モジュール
１４３  動画像再生モジュール
１５０  カメラモジュール
１５１  第１のカメラ
１５２  第２のカメラ
１５５  ＧＰＳモジュール
１６０  入出力モジュール
１６０ｂ  第２のボタングループ
１６１  ボタン
１６１ａ  第１のボタングループ
１６１ａ１  メニューボタン
１６１ａ２  ホームボタン
１６１ａ３  戻るボタン
１６１ａ４  検索ボタン
１６１ｂ  第２のボタングループ
１６１ｂ１  メニューボタン
１６１ｂ２  ホームボタン
１６１ｂ３  戻るボタン
１６１ｂ４  検索ボタン
１６２  マイクロホン
１６３  スピーカ
１６３ａ  第１のスピーカ
１６３ｂ  第２のスピーカ
１６４  振動モータ
１６５  コネクタ
１６６  キーパッド
１７０  センサーモジュール
１７０ａ  第１のセンサー
１７５  格納部
１８０  電源供給部
１９０  第１のタッチスクリーン
１９０ａ，１９０ｂ  タッチスクリーン
１９０ｃ，１９０ｃ１，１９０ｃ２  タッチスクリーン制御部
１９０ｄ  第２のタッチスクリーン
１９５  タッチスクリーン制御部
１９５，１９５ａ，１９５ｂ  タッチスクリーン制御部
【図１】
2014509422.tif 000003
【図２Ａ】
2014509422.tif 000004
【図２Ｂ】
2014509422.tif 000005
【図２Ｃ】
2014509422.tif 000006
【図３】
2014509422.tif 000007
【図４】
2014509422.tif 000008
【図５】
2014509422.tif 000009
【図６】
2014509422.tif 000010
【図７】
2014509422.tif 000011
【図８Ａ】
2014509422.tif 000012
【図８Ｂ】
2014509422.tif 000013
【図９Ａ】
2014509422.tif 000014
【図９Ｂ】
2014509422.tif 000015
【図１０Ａ】
2014509422.tif 000016
【図１０Ｂ】
2014509422.tif 000017
【図１０Ｃ】
2014509422.tif 000018
【図１１Ａ】
2014509422.tif 000019
【図１１Ｂ】
2014509422.tif 000020
【手続補正書】
【提出日】平成25年8月15日(2013.8.15)
【手続補正１】
【補正対象書類名】明細書
【補正対象項目名】００３４
【補正方法】変更
【補正の内容】
【００３４】
開状態では、間隔(space)１００ｄは、第１のタッチスクリーン１９０ａと第２のタッチスクリーン１９０ｂとの間に形成される。閉状態では、装置１００の第１のタッチスクリーン１９０ａと第１のハウジング１００ａの端部との間の間隔は、間隔１００ｄの半分である。
【手続補正２】
【補正対象書類名】明細書
【補正対象項目名】００５３
【補正方法】変更
【補正の内容】
【００５３】
さらに、他の実施形態において、マルチメディアモジュール１４０のオーディオ再生モジュール１４２及び動画像再生モジュール１４３は、制御部１１０に含まれることができる。
【手続補正３】
【補正対象書類名】明細書
【補正対象項目名】０１１２
【補正方法】変更
【補正の内容】
【０１１２】
図８Ａを参照すると、制御部１１０又は第２の制御部１１０ｂは、複数のタッチ８８０，８８１の第２のタッチスクリーン１９０ｂの到着位置８８０ｃ，８８１ｃに応答して第２の画面８５０を第３の画面８２０に変更する。第３の画面８２０は、第１の画面８００に対応する。例えば、第３の画面８２０は、友人リスト画面８１０に表示される友人８１１の詳細画面である。第３の画面８２０は、友人の写真と名前領域８２１及び友人とのメッセージの送受信の時間及び送受信メッセージのコンテンツ８２３を表示するメッセージ領域８２２を含む。
【手続補正４】
【補正対象書類名】明細書
【補正対象項目名】０１２２
【補正方法】変更
【補正の内容】
【０１２２】
ステップＳ５０９は、ステップＳ５０５と同一である。したがって、ステップＳ５０９の説明は省略する。
【手続補正５】
【補正対象書類名】明細書
【補正対象項目名】０１２５
【補正方法】変更
【補正の内容】
【０１２５】
ステップＳ５１０は、ステップＳ５０６と同一である。したがって、ステップＳ５１０の説明は省略する。
【手続補正６】
【補正対象書類名】明細書
【補正対象項目名】０１５９
【補正方法】変更
【補正の内容】
【０１５９】
より詳細には、図９Ｂを参照すれば、一つのタッチ９８２は、第２のタッチスクリーン１９０ｂで入力され、間隔１００ｄを通過して第１のタッチスクリーン１９０ａに到着する。制御部１１０、又は第１の制御部１１０ａ及び第２の制御部１１０ｂは、タッチスクリーン制御部１９５，１９５ａ，１９５ｂを用いて複数のタッチ９８２，９８３のうち一つのタッチ９８２の連続動作、例えば最初位置９８２ａから最後位置９８２ｂへの移動を検出する。制御部１１０、又は第１の制御部１１０ａ及び第２の制御部１１０ｂは、タッチスクリーン制御部１９５，１９５ａ，１９５ｂを用いて一つのタッチ９８２の第２のタッチスクリーン１９０ｂでの最後位置９８２ｂと第１のタッチスクリーン１９０に到着した最初位置９８２ｃを認識する。
【手続補正７】
【補正対象書類名】明細書
【補正対象項目名】０１６３
【補正方法】変更
【補正の内容】
【０１６３】
また、制御部１１０、又は第１の制御部１１０ａ及び第２の制御部１１０ｂは、第１のタッチスクリーン１９０ａで複数のタッチ９８０，９８１のうち少なくとも一つのタッチの到着に応答して第１のタッチスクリーン１９０ａの拡大画面９１５と第２のタッチスクリーン１９０ｂの第３の画面９２０との少なくとも一つの画面を変更する。
【手続補正８】
【補正対象書類名】明細書
【補正対象項目名】０１６７
【補正方法】変更
【補正の内容】
【０１６７】
例えば、図１を参照すれば、ユーザーが第１のハウジング１００ａの第１のボタングループ１６１ａのホームボタン１６１ａ２を選択する場合、ホーム画面は、第１のタッチスクリーン１９０ａに表示される。同様に、ユーザーが第２のハウジング１００ｂの第２のボタングループ１６１ｂのホームボタン１６１ｂ２を選択する場合、ホーム画面は、第２のタッチスクリーン１９０ｂに表示される。
【手続補正９】
【補正対象書類名】明細書
【補正対象項目名】０１７０
【補正方法】変更
【補正の内容】
【０１７０】
図１１Ａを参照すると、環境設定１１００は、第１のタッチスクリーン１９０ａに表示される。環境設定１１００は、無線ネットワーク１１０１のアイテム、通信１１０２、サウンド１１０３、ディスプレイ１１０４、セキュリティ１１０５、及び複数のタッチ設定１１０６を含む。この環境設定で表示されるアイテムは、装置１００の性能に従って追加又は削除することができる。
【手続補正１０】
【補正対象書類名】明細書
【補正対象項目名】０１７３
【補正方法】変更
【補正の内容】
【０１７３】
図１１Ｂを参照すると、複数のタッチ設定１１１０は、順序１１１１、複数のタッチ間のタッチ時間間隔１１１２、決定された領域の半径１１１３、複数のタッチ間の許容傾き範囲１１１４、画面変更に対応するタッチジェスチャの変更１１１５、及びフィードバック設定を含む。複数のタッチに対する設定は、装置１００によりサポートされる性能に基づいて追加又は削除され得る。
【国際調査報告】
2014509422.tif 000021
2014509422.tif 000022